(57)【特許請求の範囲】
【請求項１】
ロープを貫通してロープ側方に突出している貝係止具の突出部を所定向きに整列させる貝係止具整列用具において、貝係止具整列用具はロープ走行方向手前側が細く走行方向先方側が太い軸状にして、ロープの走行に伴って貝係止具の突出部が自動的に大径部外周面に沿って外向きになるようにしたことを特徴とする貝係止具整列用具。
【請求項２】
ロープを貫通してロープ側方に突出している貝係止具の突出部を所定向きに整列させる貝係止具整列用具において、貝係止具整列用具はロープ走行方向手前側が細く先方側が太い軸状にして、ロープの走行に伴って貝係止具の突出部が自動的に大径部外周面に沿って外向きになるようにしてあり、大径部よりも走行方向先方側にロープ押さえ具が設けられたことを特徴とする貝係止具整列用具。
【請求項３】
請求項１又は請求項２記載の貝係止具整列用具において、貝係止具整列用具の底面がロープ接触面であることを特徴とする貝係止具整列用具。
【請求項４】
ロープを貫通してロープ側方に突出している貝係止具をロープから抜去する貝係止具抜去用具において、貝係止具抜去用具は回転子がカバー内に回転可能に設けられ、回転子に貝係止具の突出部が進入するスリットが外側開口に形成され、カバーと回転子の間に隙間が設けられ、隙間は回転子の回転によりスリット内に進入してカバー内に引き込まれた貝係止具が通過可能な広さに形成され、カバーには隙間を通過した貝係止具が外部に排出される排出口が開口されたことを特徴とする貝係止具抜去用具。
【請求項５】
請求項４記載の貝係止具抜去用具において、回転子がドラム状であり、スリットが回転子の周方向に間隔をあけて数本形成され、排出口がカバーの底側に開口されたことを特徴とする貝係止具抜去用具。
【請求項６】
請求項５記載の貝係止具抜去用具において、カバーに、ロープ側方に突出する貝係止具の突出部が入る導入口が開口されていることを特徴とする貝係止具抜去用具。
【請求項７】
ロープを貫通してロープ側方に突出している貝係止具をロープから抜去する貝係止具整列抜去装置において、貝係止具整列抜去装置はロープを走行させる走行部と、ロープ側方に突出している貝係止具の突出部を所定向きに整列させる貝係止具整列用具と、整列された突出部を引き込んで貝係止具をロープから抜去する貝係止具抜去用具を備え、前記貝係止具抜去用具がロープ走行路を挟んで二つ配置され、二つの貝係止具抜去用具が互いにロープ走行方向に位置をずらして配置されたことを特徴とする貝係止具整列抜去装置。
【請求項８】
請求項７記載の貝係止具整列抜去装置において、貝係止具が貫通突出されているロープを走行させる走行機構と、当該ロープにテンションをもたせるテンションメンバーを備え、前記走行機構は、貝係止具抜去用具よりも走行方向出口側に設けられ、前記テンションメンバーは貝係止具抜去用具よりも走行方向手前側に設けられたことを特徴とする貝係止具整列抜去装置。
【請求項９】
請求項８記載の貝係止具整列抜去装置において、走行機構は引っ張りローラとロープを引っ張りローラに押し付ける押さえローラとを備え、前記押さえローラはハンドル操作により引っ張りローラから離すことも戻すこともできることを特徴とする貝係止具整列抜去装置。
【請求項１０】
請求項７乃至請求項９のいずれか１項に記載の貝係止具整列抜去装置において、貝係止具整列用具が請求項１乃至請求項３のいずれかに記載の貝係止具整列用具であり、貝係止具抜去用具が請求項４又は請求項６記載の貝係止具抜去用具であることを特徴とする貝係止具整列抜去装置。
【発明の詳細な説明】
【技術分野】
【０００１】
本発明は例えば、帆立貝を耳吊り養殖するロープに貫通されている貝係止具を、使用後にロープから抜去する際に、貝係止具を所定の向きに揃える（整列させる）方法と、整列後の貝係止具をロープから抜去する方法と、前記整列と抜去を連続して行う整列抜去方法と、前記整列に使用できる貝係止具整列用具と、前記抜去に使用できる貝係止具抜去用具と、前記整列と抜去を連続して行うことができる貝係止具整列抜去装置に関するものである。
【背景技術】
【０００２】
帆立貝を耳吊り養殖する場合、図１３のようにロープＣに樹脂製の貝係止具Ｄを貫通し、ロープＣから突出した貝係止具Ｄの突出部を帆立貝Ｂの耳に開けた孔に差し込んで、ロープＣに多数の帆立貝Ｂを吊り下げ、そのロープＣを海中に横に張った横ロープＡに吊るしている。海から引き上げて帆立貝を取り外したロープＣは次の養殖に再利用される。この場合、ロープＣに残っている貝係止具ＢをロープＣから抜去して、抜去後のロープＣに新たな貝係止具Ｄを差し込んでいる。
【０００３】
貝係止具抜去装置として、ロープを走行させながら、ロープから突出する貝係止具の突出部をプーリとベルトで挟んで引き抜くものがある（例えば特許文献１参照）。
【０００４】
【特許文献１】特許第４００５９９８号公報
【発明の開示】
【発明が解決しようとする課題】
【０００５】
特許文献１の抜き取り装置は、大型で重い。また、使用によりベルトの腰が弱くなるとプーリとによる貝係止具の挟着力が弱くなって貝係止具が確実に抜けにくくなる。場合によっては抜き残りが発生することもある。
【課題を解決するための手段】
【０００６】
本発明は貝係止具を確実に抜去することのできる貝係止具整列用具、貝係止具抜去用具、貝係止具整列抜去装置を提供するものである。
【０００７】
本願における貝係止具整列方法は、ロープを貫通してロープから突出している貝係止具の突出部を所定向きに整列させる整列方法において、ロープ走行中に貝係止具の突出部を貝係止具整列用具に接触させることにより、貝係止具をロープと共にロープの周方向に回転させて前記突出部を所定向きに整列させるようにした方法である。
【０００８】
本願における貝係止具整列方法は、ロープを貫通している貝係止具の突出部をロープから抜去する貝係止具抜去方法において、ロープ走行中に貝係止具の突出部をロープ側方に配置された回転式引き込み具で引き込んでロープから抜去する方法である。
【０００９】
本願における貝係止具整列抜去方法は、ロープを貫通している細長の貝係止具をロープから抜去する方法において、貝耳吊り用ロープを走行させ、ロープ側方に突出している貝係止具の突出部をロープ走行中に貝係止具整列用具に接触させて所定向きに整列させ、整列させた突出部をロープ走行中に貝係止具抜去用具で引き込んで貝係止具をロープから抜去する方法である。
【００１０】
本発明の貝係止具整列用具は、ロープを貫通してロープ側方に突出している細長の貝係止具の突出部を所定向きに整列させる貝係止具整列用具において、貝係止具整列用具はロープ走行方向手前側が細く走行方向先方側が太い軸状にして、ロープの走行に伴って貝係止具の突出部が自動的に大径部外周面に沿って外向きになるようにしてある。
【００１１】
本発明の貝係止具整列用具は、ロープを貫通してロープ側方に突出している細長の貝係止具の突出部を所定向きに整列させる貝係止具整列用具において、貝係止具整列用具はロープ走行方向手前側が細く先方側が太い軸状にして、ロープの走行に伴って貝係止具の突出部が自動的に大径部外周面に沿って外向きになるようにしてある。この場合、大径部よりも走行方向先方側にロープ押さえ具を設けることができる。また、貝係止具整列用具の底面をロープ接触面としてある。
【００１２】
本発明の貝係止具整列用具は、ロープを貫通してロープ側方に突出している細長の貝係止具をロープから抜去する貝係止具抜去用具において、貝係止具抜去用具は回転子がカバー内に回転可能に設けられ、回転子に貝係止具の突出部が進入可能なスリットが外側開口に形成され、カバーと回転子の間に隙間が設けられ、隙間は回転子の回転によりスリット内に進入してカバー内に引き込まれた貝係止具が通過可能な広さに形成され、カバーには隙間を通過した貝係止具が外部に排出される排出口が開口されたものである。この場合、回転子をドラム状とし、スリットを回転子の周方向に間隔をあけて数本形成し、排出口をカバーの底側に開口することができる。
【００１３】
本発明の貝係止具整列抜去装置は、ロープを貫通してロープ側方に突出している細長の貝係止具をロープから抜去する貝係止具整列抜去装置において、貝係止具整列抜去装置はロープを走行させる走行部と、ロープ側方に突出している貝係止具の突出部を所定向きに整列させる貝係止具整列用具と、整列された突出部を引き込んで貝係止具をロープから抜去する貝係止具抜去用具を備えたものである。この場合、ロープ走行路を挟んで二つの貝係止具抜去用具を配置し、二つの貝係止具抜去用具を互いにロープ走行方向に位置をずらして配置することができる。また、貝係止具整列用具に前記いずれかの貝係止具整列用具を使用し、貝係止具抜去用具に前記いずれかの貝係止具抜去用具を使用することができる。
【発明の効果】
【００１４】
本願における貝係止具整列方法は、ロープを貫通してロープ側方に突出する貝係止具の突出部を、ロープ走行中に貝係止具整列用具に接触させて、貝係止具をロープと共にロープの周方向に回転させて、その突出部を所定向きに整列させるので、ロープに貫通されている多数本の貝係止具の突出部をロープ走行中に自動的に一定方向（貝係止具抜去用具方向）に揃えることができ、ロープを貫通している多数本の貝係止具の向きがランダムであっても、貝係止具が貝係止具抜去用具により漏れなく抜去される。
【００１５】
本願における貝係止具抜去方法は、ロープを貫通してロープ側方に突出している貝係止具の突出部を、ロープ側方に配置された回転式引き込み具によりロープ走行中に引き込んでロープから抜去するので、長期間使用してもベルトのように腰が弱ることがなく、抜去が確実になる。
【００１６】
本願における貝係止具整列抜去方法は、ロープ側方に突出している貝係止具の突出部をロープ走行中に貝係止具整列用具に接触させて所定方向に整列させ、整列させた突出部をロープ走行中に貝係止具抜去用具で引き込んで貝係止具をロープから抜去するので、ロープを貫通している多数本の貝係止具の向きがランダムであっても、それら貝係止具は確実に抜去される。
【００１７】
本発明の貝係止具整列用具は、ロープを貫通してロープ側方に突出している細長の貝係止具の突出部を所定向きに整列させる貝係止具整列用具において、貝係止具整列用具はロープ走行方向手前側が細く先方側が太い軸状にして、ロープの走行に伴って貝係止具の突出部が自動的に大径部外周面に沿って外向きになるようにしてあるので、ロープを走行させるだけで貝係止具の突出部が同じ向きに揃う（整列する）。
【００１８】
本発明の貝係止具整列用具は、貝係止具整列用具はロープ走行方向手前側が細く先方側が太い軸状にして、ロープの走行に伴って貝係止具の突出部が自動的に大径部外周面に沿って外向きになるようにし、大径部よりも走行方向先方側にロープ押さえ具を設けてあるため、ロープ押さえ具で走行中のロープを押さえることにより、貝係止具整列用具で突出部の向きを揃えた後のロープの回転を防止して、突出部の向きが不揃いにならないようにすることができる。
【００１９】
本発明の貝係止具整列用具は、貝係止具整列用具の底面がロープ接触面であるため、その接触面を走行中のロープ外周面に接触させて、ロープの暴れを防止することができ、ロープが安定するため、貝係止具の向きを揃え易くなる。
【００２０】
本発明の貝係止具整列用具は、回転子をカバー内に回転可能に設け、回転子に貝係止具の突出部が進入するスリットを外側開口に形成し、カバーと回転子の間に隙間を設け、隙間をカバー内に引き込まれた貝係止具が通過可能な広さに形成し、カバーに隙間を通過した貝係止具が外部に排出される排出口を開口して貝係止具抜去用具としたので、貝係止具抜去用具は長期間使用しても変形、強度劣化などしにくいため、常に、確実に抜去することができる。
【００２１】
本発明の貝係止具抜去用具は回転子がドラム状であり、スリットが回転子の周方向に間隔をあけて数本形成されているので、貝係止具の突出部がスリットに漏れなく進入し易くなる。また、カバーの底側に、排出口が開口されたので、ロープから抜去された貝係止具はその排出口から確実に排出され、カバー内が詰まることがない。
【００２２】
本発明の貝係止具整列抜去装置は、ロープを走行させる走行部と、ロープ側方に突出している貝係止具の突出部を所定向きに整列させる貝係止具整列用具と、整列された突出部を引き込んで貝係止具をロープから抜去する貝係止具抜去用具を備えているので、走行部ロープを走行させるだけで、ロープの向きの整列、抜去が確実に行われる。
【００２３】
本発明の貝係止具整列抜去装置は、二つの貝係止具抜去用具がロープ走行路を挟んで配置され、二つの貝係止具抜去用具を互いにロープ走行方向に位置をずらして配置してあるので、ロープの両側方に突出している貝係止具の突出部を二つの貝係止具抜去用具で引き込むことがない。このため、貝係止具が軸方向途中で切断してロープ内に残ることがない。また、ロープの左右のいずれか一方に突出している貝係止具の突出部をロープ搬送方向手前側の貝係止具抜去用具で引き込んで抜去し、他方の突出部をロープ搬送方向先方側の貝係止具抜去用具で引き込んで抜去できるので、ロープを貫通している多数本の貝係止具を漏れなく抜去することができる。
【００２４】
本発明の貝係止具整列抜去装置は、貝係止具整列用具が前記した本発明の貝係止具整列用具であるため貝係止具の整列漏れがなく、向きが一定にそろい易い。また、貝係止具抜去用具も前記した本発明の貝係止具抜去用具であるため貝係止具の抜去も確実になる。
【発明を実施するための最良の形態】
【００２５】
（貝係止具整列方法及び貝係止具整列用具の実施形態）
本願における貝係止具整列方法の一例を図１〜図３に基づいて説明する。図１の整列方法は、ロープ（通常は樹脂製の編みロープ）Ｃを貫通している貝係止具Ｄの、ロープＣから突出している突出部Ｅを横向き（ロープＣの軸と直交方向）に整列させる整列方法である。
【００２６】
図１のロープＣを矢印方向Ｘに走行させて、貝係止具Ｄの突出部Ｅを貝係止具整列用具１（以下「整列具１」という）に接触させる。図１の整列具１はロープ走行方向手前側（先端部）２が尖鋭な半円錐状であり、ロープ走行方向先方側（根元側）３が大径の軸状になっているため、ロープＣに図２（ａ）（ｂ）のように縦向き（垂直）で貫通している貝係止具Ｄの突出部Ｅは次第に整列具１の先端部２の上に乗り上げ、ロープＣの走行につれて図３（ａ）（ｂ）のように先端部２の外周面に沿って次第に外向きになり、ロープＣもその周方向に回転し、図４（ａ）（ｂ）のように突出部Ｅは徐々に横向きになり、整列具１を乗り越えた後は図１のように横向き揃う。図１ではロープＣが整列具１の根元側３よりも先の角棒状のロープ押さえ具４で軽く（ロープの走行が阻害されない程度の強さで、ロープが不用意に回転しない程度の強さで）押されているため、ロープＣは図１のように貝係止具Ｄの向きが揃ったまま走行を続ける。整列具１の先端部２はロープＣの向きを整列させることができれば円錐状であっても多角錐状であっても良い
【００２７】
（貝係止具抜去方法及び貝係止具抜去用具の実施形態）
本願における貝係止具抜去方法は、図１のように整列された多数の貝係止具ＤをロープＣから抜去する方法であり、整列した貝係止具Ｄの突出部ＥをロープＣの側方に配置された回転式の貝係止具抜去用具５（以下「抜去用具５」という：図５（ａ）〜（ｃ））に引き込んでロープＣ（図１）から抜去する方法である。
【００２８】
回転式の抜去用具５（図５）は、ドラム状の回転子６（図６（ａ））がその外径よりも内径の大きな円筒状のカバー７（図５、図６（ｂ））内に回転可能に設けられ、回転子６の軸方向に貝係止具Ｄの突出部Ｅが進入可能なスリット８が多数本開口されている。スリット８は回転子６の外周面及び両側面に開口している。カバー７の外周側面から側面まで横長の導入口９（図５、図６（ａ））が開口されており、カバー７の底面に排出口１０（図６（ｂ））が開口されている。回転子６の外周面とカバー７の内周面の間には隙間１１（図６（ｂ））がある。
【００２９】
図１のように同じ向きに整列された貝係止具Ｄの突出部Ｅは、図７（ａ）（ｂ）のようにロープＣが矢印方向に走行すると、次第に抜去用具５のカバー７の導入口９内に進入し、更に回転子６のスリット８内に進入する（図６（ａ））。その状態で回転子６が回転することにより貝係止具Ｄが次第に隙間１１（図６（ｂ））に引き込まれる。このとき、ロープＣはそのまま走行を継続するため貝係止具Ｄは自動的にロープＣから引き抜かれ（抜去され）、回転子６が抜去後も更に回転することにより、抜去された貝係止具Ｄは前記隙間１１（図６（ｂ））内を通過して、カバー７の底面に開口されている排出口１０（図６（ｂ））からカバーの外部（下方）に落下する（排出される）。
【００３０】
（貝係止具整列抜去装置の実施形態）
本発明の貝係止具整列抜去装置の実施形態を図７〜図１２に基づいて説明する。図７（ａ）（ｂ）示す貝係止具整列抜去装置はロープＣを矢印方向に走行させる走行機構２０と、貝係止具Ｄの突出部Ｅを所定向きに整列させる整列具１と、整列された突出部Ｅを引き込んで貝係止具ＤをロープＣから抜去する二つの抜去用具５を備えている。二つの抜去用具５はロープＣを挟んでその両側に配置されている。この場合、回転子６のスリット8がロープＣと平行に配置されている。また、二つの抜去用具５は図７（ａ）のようにロープＣの走行方向に位置をずらして配置されている。図７（ｂ）では整列具１を見易くするため手前の抜去用具５を省略してある。
【００３１】
走行機構２０は、図８に示す筺体（架台）２１の入口側に設けられている二本のテンションバー２２、その上方に設けられているガイドローラ２３、筺体（架台）２１の出口側に設けられている引っ張りローラ２４、押さえローラ２５、筺体（架台）２１の上のモータＭ等で構成されている。図９のように前記モータＭの回転軸２６に取り付けられているスプロケット２７、引っ張りローラ２４の回転軸２８に取り付けられているスプロケット２９、抜去用具駆動軸３０に取り付けられているスプロケット３１にチェーン３２がかけられている。これらは、モータＭが回転してその回転軸２６が回転すると回転し、引っ張りローラ２４が回転する。
【００３２】
ロープＣは図７（ｂ）のように下方から二本のテンションメンバー２２の間を通して外側ガイドローラ２３の上に掛け、そこから引出して入口側ガイドローラ３５（図７（ａ）（ｂ））の上に引き、そこから二つの抜去用具５（図７（ａ））の間を通して引っ張りローラ２４の上に掛け、外側から押さえローラ２５で押さえて引っ張りローラ２４との間に挟む。ロープＣを両ローラ２４、２５の間に挟むときは、押さえローラ２５の回転軸３７に回動可能に取り付けてあるリンク３８（図８）の上方のハンドル３９の上部（支持軸４０よりも上の部分）を内側に倒して、リンク３８の下部（支持軸５０よりも下の部分）を外側に開き、押さえローラ２５の回転軸３７を外側に押して押さえローラ２５を引っ張りローラ２４から離す。これにより両ローラ２４、２５間に生ずる空間にロープＣを通してから、前記ハンドル３９を元の位置に戻す。この戻しによりリンク３８の下部（押さえローラ２５側）が引張りばねＳ（図９（ａ））により引き戻されて押さえローラ２５が引っ張りローラ２４側に引かれてロープＣが両ローラ２４、２５間に挟まれる。この状態で前記モータＭを回転させ、前記伝達機構２０を介して引っ張りローラ２４を回転させると、両ローラ２４、２５間に挟まれているロープＣが引っ張りローラ２５の回転方向（図７（ａ）（ｂ）の右方向）に送り出される（走行する）。
【００３３】
図５（ａ）〜（ｃ）の抜去用具５の回転子６はその回転軸４０（図６（ａ）、図８）を回転させることにより回転する。回転軸４０は前記モータＭを回転させてネジ歯車用駆動シャフト３０（図９）を回転させて伝達ギヤ４３（図９）を回転させ、そのギヤ４３と噛み合っている回転子駆動用ネジ歯車４４（図９）を回転させると、この回転子駆動用ネジ歯車４４が取り付けられている回転軸４０（図９）が回転し、その回転に伴って回転子６が回転する。この回転中にロープＣを貫通している貝係止具Ｄの突出部Ｅが抜去用具５のケースカバー７の進入口９（図５（ａ））内に進入し、更に回転子６のスリット８内に進入する（図５（ａ））。このとき、回転子６が回転しているため貝係止具Ｄが図６（ｂ）の隙間１１に引き込まれる。このとき、ロープＣはそのまま走行しているため貝係止具Ｄは自動的にロープＣから引き抜かれ（抜去され）、抜去された貝係止具Ｄは回転子６の回転継続により前記隙間１１内を通過してカバー７の排出口１０からカバーの外部（下方）に排出され、シューター４２（図１１）から外部に送出される。図７（ａ）のように、二つの抜去具をロープＣの走行方向に位置をずらして配置することにより、図７（ａ）のように、ロープＣの手前側に突出している突出部Ｅを走行方向手前の抜去具５で抜去し、ロープＣの奥側に突出している突出部Ｅを走行方向先方の抜去具で同時に引き込んでしまい、貝係止が切断してロープＣ内にのこることが無い。
【００３４】
前記整列具１は図１１（ａ）の状態から図１１（ｂ）に示す位置まで上方に回動可能としてある。図１１（ａ）の状態ではロープＣを図７（ａ）（ｂ）のように上から押さえることができ、図１１（ｂ）の状態ではロープＣを二つの抜去用具５（図７（ａ）（ｂ））の間にセットしたり、ロープＣを両抜去用具５の間から外したりすることができる。整列具１は図１２のように、縦長方形の取り付け板４５とその前面のＬ字状のアーム４６で構成されている。取り付け板４５には縦長孔４７が開口されており、その縦長孔４７の上部に左上方に湾曲している湾曲孔４８が開口されている。Ｌ字状のアーム４６の背面から二本の軸が突出し、夫々の軸に軸受（ベアリング）４７が取り付けられ、それら軸受４７が前記縦長孔４７内にセットされて、Ｌ字状のアーム４６が上下にスライドできるようにしてある。また、上方までスライドしたら湾曲孔４８にガイドされて図１１（ｂ）のように左側に回動するようにしてある。取り付け板４５は筺体壁面４５に取り付けられている。
【産業上の利用可能性】
【００３５】
本発明は帆立貝養殖用の貝係止具の整列、抜去に拘わらず、他の貝の貝係止具の整列、抜去にも利用可能である。
【図面の簡単な説明】
【００３６】
【図１】本発明の貝係止具整列用具を使用した貝係止具整列方法の一例を示す説明図。
【図２】（ａ）は本願における貝係止具整列方法であって整列初期の正面説明図、（ｂ）は側面説明図。
【図３】（ａ）は本願における貝係止具整列方法であって整列中期の正面説明図、（ｂ）は側面説明図。
【図４】（ａ）は本願における貝係止具整列方法であって整列集終期の正面説明図、（ｂ）は側面説明図。
【図５】（ａ）は本発明における貝係止具抜去用具への貝係止具の進入初期の斜視図、（ｂ）は進入中期の斜視図、（ｃ）は進入終期の斜視図。
【図６】（ａ）は本発明における貝係止具抜去用具の回転子の一例を示す斜視図、（ｂ）は貝係止具抜去用具のカバー内に回転子が収容された状態の断面図。
【図７】（ａ）は本発明の貝係止具整列抜去装置で貝係止具を抜去する方法の平面説明図、（ｂ）は同方法の側面説明図。
【図８】本発明の貝係止具整列抜去装置のケース前壁を外して出口側から見た状態の斜視図。
【図９】本発明の貝係止具整列抜去装置のケース後壁を外して、入口側から見た状態の斜視図。
【図１０】本発明の貝係止具整列抜去装置のケース後壁を外して出口側から見た状態の斜視図。
【図１１】（ａ）は本発明の貝係止具整列抜去装置の貝係止具整列用具を下げた状態の正面説明図、（ｂ）は貝係止具整列用具を上げた状態の正面説明図。
【図１２】（ａ）は本発明の貝係止具整列用具の一例を示す斜視図、（ｂ）は側面図。
【図１３】帆立貝耳吊り養殖の説明図。
【符号の説明】
【００３７】
１  貝係止具整列用具（整列具）
２  貝係止具整列用具の先端部
３  貝係止具整列用具の根元側
４  貝係止具整列用具のロープ押さえ具
５  貝係止具抜去用具（抜去用具）
６  回転子
７  カバー
８  スリット
９  カバーの導入口
１０  カバーの排出口
１１  貝係止具抜去用具の隙間
２０  走行機構
２１  筺体（架台）
２２  テンションバー
２３  外側ガイドローラ
２４  引っ張りローラ
２６  モータの回転軸
２７  スプロケット
２８  引っ張りローラの回転軸
２９  スプロケット
３０  ネジ歯車用駆動シャフト
３０  抜去用具駆動軸
３１  スプロケット
３３  入口側ガイドローラ
３７  回転軸
３８  リンク
３９  ハンドル
４０  回転軸
４４  伝達ギヤ
４４  回転子駆動用ネジ歯車
４２  シューター
４５  取り付け板
４６  アーム
４７  縦長孔
４８  湾曲孔
４９  軸受
Ａ  横ロープ
Ｂ  帆立貝
Ｃ  ロープ
Ｄ  貝係止具
Ｅ  突出部
Ｍ  モータ
【図１】
0005052334.tif 000002
【図２】
0005052334.tif 000003
【図３】
0005052334.tif 000004
【図４】
0005052334.tif 000005
【図５】
0005052334.tif 000006
【図６】
0005052334.tif 000007
【図７】
0005052334.tif 000008
【図８】
0005052334.tif 000009
【図９】
0005052334.tif 000010
【図１０】
0005052334.tif 000011
【図１１】
0005052334.tif 000012
【図１２】
0005052334.tif 000013
【図１３】
0005052334.tif 000014